(57)【要約】【課題】  画像の歪みを調整する機構を有する背面投写型画像表示装置を提供する。【解決手段】  天井ミラー後端部をミラー反射面に垂直な方向に調整する複数の位置調整手段を有する。【選択図】  図１
2006011140.tif 000002
【特許請求の範囲】
【請求項１】
光学ユニットから出力される画像を筐体上面に配置した天井ミラーによって光路変更し、天井よりスクリーン背面側に投写する背面投写型画像装置において、天井ミラー後端部をミラー反射面に垂直な方向に調整する複数の位置調整手段を有することを特徴とする背面投写型画像表示装置。
【請求項２】
天井ミラー前端側を回転中心として、天井ミラーを回動する回動手段を有することを特徴とする請求項１記載の背面投写型画像表示装置。
【請求項３】
天井ミラー前端部とスクリーン部が同一部材で支持される支持手段を有することを特徴とする請求項１記載の背面投写型画像表示装置。
【発明の詳細な説明】
【技術分野】
【０００１】
本発明は、光学ユニットから出力される画像を天井ミラーによって光路変更し、天井よりスクリーンに投写する背面投写型画像表示装置に関し、特に画像の歪みを調整する機構に関する。
【背景技術】
【０００２】
図９は、従来の背面投写型画像表示装置を側面から見た内部構成図である。同図において、筐体２内の下部の所定位置に配置された光学ユニット３は、上向きに出力画像を出射する。出射された出力画像は筐体２内の所定位置に配置された天井ミラー４により光路が変更され、筐体２の前面に配設されたスクリーン５上に投写される。光学ユニット３を載置する位置調整機構６は、スクリーン５上に投写される投写画像のスクリーン５に対する相対位置を調整できるように構成されている。
【０００３】
図２は、上記した投写型画像表示装置１のスクリーン５に映った投写画像５１を示す図である。この長方形状の投写画像５１の各辺には、糸巻き状の画像歪み（以下、ピン歪みと称す）が発生している。特に下辺のピン歪み５２が目立って発生している。特にスクリーンにおける投写画像５１の下辺のピン歪みが大きいのは、筐体を薄型化するために、斜め投写型光学系を用いているためである。斜め投写型光学系を用いているので、天井ミラー４の背面側で光路変更される光線１０は、天井ミラー４の前面側で光路変更される光線１１に比べて光路の距離が長いので、天井ミラー４のずれによるスクリーンに入射される角度のふれの影響が大きい。そのため、天井ミラー４の背面側の撓みδによる影響が大きい。その結果、スクリーンにおける投写画像５１の下辺のピン歪み５２が他の辺に比べて大きくなる。
【０００４】
このピン歪み５２は、天井ミラー４の自重による撓みによって発生するものである。
【０００５】
図３は、天井ミラーの自重によって発生する撓みの状態を示す説明図である。同図に示すように、天井ミラー４の撓みδにより、投写画像５１において、下辺にピン歪み５２が発生している。
【０００６】
画像のピン歪みを解消するために天井ミラーの曲げ剛性を高くするため、厚みの大きい天井ミラーを使用したり、背面にフレーム等を接着していた。しかし、完全に天井ミラーの撓みがとれないため、画像の下側にピン歪みが発生し不自然な画像になっていた。
【０００７】
また反射ミラーとしては特許文献１などを挙げることが出来る。
【特許文献１】特開２００３−３４４９５０号公報
【発明の開示】
【発明が解決しようとする課題】
【０００８】
本発明は、上記問題点を解決するために、投写型画像表示装置において、曲げ剛性の高い天井ミラーを採用することなく、画像のピン歪を抑制する投写型画像表示装置を提供することを目的とする。
【課題を解決するための手段】
【０００９】
請求項１記載の本発明は、光学ユニットから出力される画像を天井ミラーによって光路変更し、天井よりスクリーンに投写する投写型画像装置において、天井ミラー後端側の位置を調整する位置調整手段を有することを特徴とする。
【００１０】
請求項２記載の本発明は、天井ミラー前面側を回転中心として、天井ミラーを回動する回動手段を有することを特徴とする。
【００１１】
請求項３記載の本発明は、天井ミラー前面部とスクリーン部が同一部材で支持される支持手段を有することを特徴とする。
【発明の効果】
【００１２】
本発明は背面投写型画像装置において、天井ミラー後端側を位置調整する位置調整手段により、天井ミラーの自重によって発生するたわみを調整することを目的とする。そのため天井ミラーの自重によって発生するたわみを調整できるため、曲げ剛性の低い薄板ミラーが使用できるので、天井ミラーの軽量化、低コスト化が図れる。更に、ピン歪みのない画像が得られる。
【００１３】
さらに本発明は背面投写型画像装置において、天井ミラーおける前端側を回転中心として天井ミラーを回動調整する手段により、画像歪みを調整することを目的とする。そのため天井ミラーにより、画像歪みを調整可能となるので画像位置調整機構が簡略化できる。
【００１４】
また本発明は背面投写型画像装置において、天井ミラーの前端部とスクリーン上部は同一部材で支持しているので、スクリーンに対して天井ミラー４の相対位置精度ができ、上側の画像位置精度がでる。
【発明を実施するための最良の形態】
【００１５】
（実施例１）
図１は実施例１の投写型画像装置における全体図、図２はスクリーンに投写した画像、図３は天井ミラーの自重によって発生する撓みの状態の説明図を示す。
【００１６】
図１は、本発明による天井ミラー自重撓み調整機構７を搭載した投写型画像表示装置の構成を示す。図１に示すように、投写型画像表示装置１は、筐体２内の下部に位置調整機構６に載置された光学ユニット３を、筐体２内の上部に天井ミラー４を、筐体２内の前面部にスクリーン５を配置している。
【００１７】
図１において、天井ミラー４は、天井ミラー４を固定する天井ミラー固定金具１４で天井ミラー４の前端部を固定している。天井ミラー４の後端部は、自重による撓みを調整可能にする天井ミラー自重撓み調整機構７により、筐体２上部に取付けられている。天井ミラー４の調整は筐体２背面の開口部９から調整を行なう。
【００１８】
図１において、天井ミラー自重撓み調整機構７は、天井ミラー４の背面側を支持する天井ミラー取付け部材７１及び天井ミラー取付け部材７１に取付けられた自重によるたわみを調整するピン歪調整ねじ７２から構成され、ピン歪調整ねじ７２は紙面と垂直方向に複数本並んでいる。
【００１９】
図１において、ピン歪調整ねじ７２は、天井ミラー取付け部材７１に取付けられており、ねじを上下することで天井ミラー４の自重によるたわみを調整する。図２は、図３に示すような天井ミラー４が自重によってたわんだ場合のスクリーン上に投写された画像を示す。
【００２０】
以上の構成において、スクリーン上に投写されたピン歪を調整する方法について説明する。天井ミラー４の後面部の辺を押圧するピン歪調整ねじ７２をねじ込んで画像のピン歪を調整する。スクリーン上の画像を見ながら、ピン歪が最小になるように各ピン歪調整ねじ７２を調整する。
【００２１】
（実施例２）
図４は実施例２の背面投写型画像装置における全体図、図５は天井ミラー調整機構、図６は天井ミラー調整機構のＡ部詳細図、図７は天井ミラー調整機構の説明図を示す。
【００２２】
実施例２は、実施例１の背面投写型画像装置において、天井ミラー４を回動することにより画像歪み調整を可能にしたものである。
【００２３】
図４において、天井ミラー４の後端部は、自重による撓み及び画像歪みを調整可能にする天井ミラー調整機構７により、筐体２上部に取付けられている。他の構成は実施例１と同一である。
【００２４】
図５は、図４における天井ミラー調整機構１５の構成を示し、下方向からみた図である。天井ミラー調整機構は、天井ミラー４の背面側を支持する天井ミラー取付け部材１５１、天井ミラー取付け部材１５１に取付けられた自重によるたわみを調整するピン歪調整ねじ１５２、天井ミラー取付け部材１５１を筐体に支持する天井ミラー支持部材１５３、及び天井ミラー支持部材１５３に取付けられた画像位置を調整するための画像位置調整ねじ１５４から構成され、ピン歪調整ねじ１５２は紙面と垂直方向に複数本並んでいる。
【００２５】
図６は、図５における天井ミラー調整機構のＡ部詳細図を示す。図６において、実施例１におけるピン歪調整に加えて、画像位置調整ねじ１５４は、天井ミラー支持部材に取付けられており、左右のねじを上下することで画像歪みを調整する。
【００２６】
以上の構成において、スクリーン上に投写された縦台形画像を調整する方法について説明する。天井ミラー取付け部材１５１の左右下部に配置された画像歪み調整ねじを上下することで画像歪みを調整する。スクリーン上の画像を見ながら、縦台形が最小になるように各画像歪み調整ねじ１５４を調整する。スクリーンに投写された画像が図６（ａ）に示すような場合には、天井ミラー４を天井ミラー４の前面部Ｂを回転中心として反時計方向に回動する。つまり、左右の画像歪み調整ねじ１５４を下げる。スクリーンに投写された画像が図６（ｂ）に示すような場合には、天井ミラー４を天井ミラー４の前面部Ｂを回転中心として時計方向に回動する。つまり、左右の画像歪み調整ねじ１５４を上げる。
【００２７】
（実施例３）
図８は実施例３の背面投写型画像装置における全体図を示す。
【００２８】
実施例３は、実施例２の背面投写型画像装置において、天井ミラー４の前端部を、スクリーン５上部を支持する部材で支持したものである。
【００２９】
図８において、天井ミラー４の前端部は、スクリーン５上部を支持する部材８で支持している。他の構成は実施例２と同一である。
【００３０】
天井ミラー４の前面部とスクリーン５上部は同一部材８で支持しているので、スクリーンに対して天井ミラー４の相対位置精度がでる。
【図面の簡単な説明】
【００３１】
【図１】実施例１の背面投写型画像装置における全体図
【図２】スクリーンに投写した画像
【図３】天井ミラーの自重によって発生する撓みの状態の説明図
【図４】実施例２の背面投写型画像装置における全体図
【図５】天井ミラー調整機構
【図６】天井ミラー調整機構のＡ部詳細図
【図７】天井ミラー調整機構の説明図
【図８】実施例３の背面投写型画像装置における全体図
【図９】従来の背面投写型画像装置における全体図
【符号の説明】
【００３２】
１  背面投写型画像表示装置
２  筐体
３  光学ユニット
４  天井ミラー
５  スクリーン
６  位置調整機構
７  天井ミラー自重撓み調整機構
８  天井ミラー４の前端部とスクリーン５上部を支持する部材
９  筐体２背面の開口部
１０  天井ミラー４の後端側で光路変更される光線
１１  天井ミラー４の前端側で光路変更される光線
１２、１３  スクリーン押え部材
１４  天井ミラー４を固定する天井ミラー固定金具
１５  天井ミラー調整機構
【図１】
2006011140.tif 000003
【図２】
2006011140.tif 000004
【図３】
2006011140.tif 000005
【図４】
2006011140.tif 000006
【図５】
2006011140.tif 000007
【図６】
2006011140.tif 000008
【図７】
2006011140.tif 000009
【図８】
2006011140.tif 000010
【図９】
2006011140.tif 000011